(57)【特許請求の範囲】
【請求項１】
入力されたＲＧＢ信号であるカラー画像信号に対して色処理を施して，カラー画像形成装置が画像形成を行うためのＣＭＹ信号であるカラー画像データに変換するカラー画像変換装置において，
均等色空間における前記カラー画像形成装置の再現可能色空間の範囲を記憶した記憶手段と，
前記カラー画像信号をＬ＊ａ＊ｂ＊信号である画像データに変換する変換手段と，
均等色空間を所定の複数の単位領域に分割する分割手段と，
前記分割手段によって分割された前記単位領域毎に，前記記憶手段に記憶されている再現可能色空間の範囲外に前記画像データが存在するか否かを判定する判定手段と，
前記判定手段によって，再現可能色空間の範囲外に前記画像データが存在すると判定された場合に，該当する前記画像データを含む均等色空間の明度一定領域の平面上に存在する前記単位領域を，前記単位領域毎に放射線軸方向の内側の再現可能色空間の範囲内の前記単位領域において前記画像データが分布していない領域または前記画像データが最も少ない領域に向かってずらすことを決定し，前記判定手段によって，再現可能色空間の範囲外に前記画像データが存在しないと判定された場合に，前記単位領域をそのまま残すことを決定する圧縮決定手段と，
前記圧縮決定手段で色空間圧縮を行うと決定された前記単位領域に対して，前記放射線軸方向の内側にある別の前記単位領域に写像する写像手段と，
を備えたことを特徴とするカラー画像変換装置。
【請求項２】
入力されたＲＧＢ信号であるカラー画像信号に対して色処理を施して，カラー画像形成装置が画像形成を行うためのＣＭＹ信号であるカラー画像データに変換するカラー画像変換装置において，
均等色空間における前記カラー画像形成装置の再現可能色空間の範囲を記憶した記憶手段と，
前記カラー画像信号をＬ＊ａ＊ｂ＊信号である画像データに変換する変換手段と，
均等色空間を所定の複数の単位領域に分割する分割手段と，
前記分割手段によって分割された前記単位領域毎に，前記記憶手段に記憶されている再現可能色空間の範囲外に前記画像データが存在するか否かを判定する判定手段と，
ユーザーがあらかじめ前記単位領域の圧縮方向を入力するための圧縮方向入力手段と，
前記圧縮方向入力手段で入力された前記圧縮方向を記憶する圧縮方向記憶手段と，
前記判定手段によって，再現可能色空間の範囲外に画像データが存在すると判定された場合に，該当する画像データを含む均等色空間の明度一定領域の平面上に存在する前記単位領域を，前記圧縮方向記憶手段に記憶されている前記圧縮方向の再現可能色空間の範囲内の前記単位領域において前記画像データが分布していない領域または前記画像データが最も少ない領域に向かってずらすことを決定し，前記判断手段によって，再現可能色空間の範囲外に前記画像データが存在しないと判定された場合に，前記単位領域をそのまま残すことを決定する圧縮決定手段と，
前記圧縮決定手段で色空間圧縮を行うと決定された前記単位領域に対して，前記圧縮方向にある別の前記単位領域に写像する写像手段と，
を備えたことを特徴とするカラー画像変換装置。
【請求項３】
入力されたＲＧＢ信号であるカラー画像信号に対して色処理を施して，カラー画像形成装置が画像形成を行うためのＣＭＹ信号であるカラー画像データに変換するカラー画像変換装置において，
均等色空間における前記カラー画像形成装置の再現可能色空間の範囲を記憶した記憶手段と，
前記カラー画像信号をＬ＊ａ＊ｂ＊信号である画像データに変換する変換手段と，
均等色空間を所定の複数の単位領域に分割する分割手段と，
均等色空間の明度一定領域の平面上の放射線軸方向の前記単位領域間で前記画像データが均一に分布しているか否かを判定する分布判定手段と，
前記分布判定手段によって均一に分布していると判定された場合に，該当する均等色空間の明度一定領域の平面上において，前記画像データが均一に分布していると判断された領域を，前記分割手段で分割した同心円の中心と同一の中心の同心円状に再分割し，新たな単位領域毎に前記画像データを計数させる領域再分割手段と，
前記分割手段あるいは前記領域再分割手段によって分割された前記単位領域毎に，前記記憶手段に記憶されている再現可能色空間の範囲外に前記画像データが存在するか否かを判定する判定手段と，
前記判定手段によって，再現可能色空間の範囲外に前記画像データが存在すると判定された場合に，該当する前記画像データを含む均等色空間の明度一定領域の平面上に存在する前記単位領域を，前記単位領域毎に放射線軸方向の内側の再現可能色空間の範囲内の前記単位領域において前記画像データが分布していない領域または前記画像データが最も少ない領域に向かってずらすことを決定し，前記判定手段によって，再現可能色空間の範囲外に前記画像データが存在しないと判定された場合に，前記単位領域をそのまま残すことを決定する圧縮決定手段と，
前記圧縮決定手段で色空間圧縮を行うと決定された前記単位領域に対して，前記放射線軸方向の内側にある別の前記単位領域に写像する写像手段と，
を備えたことを特徴とするカラー画像変換装置。
【発明の詳細な説明】
【０００１】
【産業上の利用分野】
本発明は，入力したカラー画像信号に対して色処理を施して，カラー画像形成装置が画像形成を行うためのカラー画像データに変換するカラー画像変換装置に関する。
【０００２】
【従来の技術】
従来のカラー画像変換装置において，カラー画像信号を入力して色処理を実施し，カラー画像を形成するカラー画像データに変換する際に，画像形成装置の再現可能色空間を越える位置のカラー画像データを入力した場合には，▲１▼カラー画像データ位置に最も近い前記再現可能色空間内の位置を検出し出力する方法や，▲２▼入力カラー画像を前記再現可能色空間の重心に向かって縮小させて出力する方法が採られている。
【０００３】
【発明が解決しようとする課題】
しかしながら，上記従来の技術において，▲１▼の方法では，カラー画像データ位置に最も近い再現可能色空間内の位置を検出し出力するため，再現可能色空間を越える色が，再現可能色空間最外郭の色に変換され，該再現可能色空間最外郭部に色が存在する場合，元々存在した色と，変換された色とが同じになってしまうという問題点があった。
【０００４】
特に，コンピュータの画面で作成した人工的な画像においては，違う色であるはずのところが同じ色で出力されると，目立つこともあり，画面とは異なった画像であるかのような印象を与えてしまうという不具合があった。
【０００５】
また，▲２▼の方法では，入力したカラー画像信号を再現可能色空間の重心に向かって縮小させるので，▲１▼の方法のような問題は生じないものの，入力したカラー画像信号が再現可能色空間内にほとんど含まれていたり，あるいは，特定の色相の色だけが再現可能色空間を越えている場合には，再現可能色空間内にある色までもが無彩色方向の色に変換されてしまい，全体としてつまらない画像が出力されてしまうという問題点があった。
【０００６】
本発明は上記に鑑みてなされたものであって，入力したカラー画像信号の持つ色のバランス・印象をできるだけ維持して，かつ，できるだけ同等の色が出力できるように，入力したカラー画像信号をカラー画像形成装置の再現可能色空間内に圧縮することを目的とする。
【０００７】
【課題を解決するための手段】
本発明は上記の目的を達成するために，入力されたＲＧＢ信号であるカラー画像信号に対して色処理を施して，カラー画像形成装置が画像形成を行うためのＣＭＹ信号であるカラー画像データに変換するカラー画像変換装置において，均等色空間における前記カラー画像形成装置の再現可能色空間の範囲を記憶した記憶手段と，前記カラー画像信号をＬ＊ａ＊ｂ＊信号である画像データに変換する変換手段と，均等色空間を所定の複数の単位領域に分割する分割手段と，前記分割手段によって分割された前記単位領域毎に，前記記憶手段に記憶されている再現可能色空間の範囲外に前記画像データが存在するか否かを判定する判定手段と，前記判定手段によって，再現可能色空間の範囲外に前記画像データが存在すると判定された場合に，該当する前記画像データを含む均等色空間の明度一定領域の平面上に存在する前記単位領域を，前記単位領域毎に放射線軸方向の内側の再現可能色空間の範囲内の前記単位領域において前記画像データが分布していない領域または前記画像データが最も少ない領域に向かってずらすことを決定し，前記判定手段によって，再現可能色空間の範囲外に前記画像データが存在しないと判定された場合に，前記単位領域をそのまま残すことを決定する圧縮決定手段と，前記圧縮決定手段で色空間圧縮を行うと決定された前記単位領域に対して，前記放射線軸方向の内側にある別の前記単位領域に写像する写像手段と，を備えたことを特徴とするカラー画像変換装置を提供するものである。
【０００８】
また，本発明は上記の目的を達成するために，入力されたＲＧＢ信号であるカラー画像信号に対して色処理を施して，カラー画像形成装置が画像形成を行うためのＣＭＹ信号であるカラー画像データに変換するカラー画像変換装置において，均等色空間における前記カラー画像形成装置の再現可能色空間の範囲を記憶した記憶手段と，前記カラー画像信号をＬ＊ａ＊ｂ＊信号である画像データに変換する変換手段と，均等色空間を所定の複数の単位領域に分割する分割手段と，前記分割手段によって分割された前記単位領域毎に，前記記憶手段に記憶されている再現可能色空間の範囲外に前記画像データが存在するか否かを判定する判定手段と，ユーザーがあらかじめ前記単位領域の圧縮方向を入力するための圧縮方向入力手段と，前記圧縮方向入力手段で入力された前記圧縮方向を記憶する圧縮方向記憶手段と，前記判定手段によって，再現可能色空間の範囲外に画像データが存在すると判定された場合に，該当する画像データを含む均等色空間の明度一定領域の平面上に存在する前記単位領域を，前記圧縮方向記憶手段に記憶されている前記圧縮方向の再現可能色空間の範囲内の前記単位領域において前記画像データが分布していない領域または前記画像データが最も少ない領域に向かってずらすことを決定し，前記判断手段によって，再現可能色空間の範囲外に前記画像データが存在しないと判定された場合に，前記単位領域をそのまま残すことを決定する圧縮決定手段と，前記圧縮決定手段で色空間圧縮を行うと決定された前記単位領域に対して，前記圧縮方向にある別の前記単位領域に写像する写像手段と，を備えたことを特徴とするカラー画像変換装置を提供するものである。
【０００９】
また，本発明は上記の目的を達成するために，入力されたＲＧＢ信号であるカラー画像信号に対して色処理を施して，カラー画像形成装置が画像形成を行うためのＣＭＹ信号であるカラー画像データに変換するカラー画像変換装置において，均等色空間における前記カラー画像形成装置の再現可能色空間の範囲を記憶した記憶手段と，前記カラー画像信号をＬ＊ａ＊ｂ＊信号である画像データに変換する変換手段と，均等色空間を所定の複数の単位領域に分割する分割手段と，均等色空間の明度一定領域の平面上の放射線軸方向の前記単位領域間で前記画像データが均一に分布しているか否かを判定する分布判定手段と，前記分布判定手段によって均一に分布していると判定された場合に，該当する均等色空間の明度一定領域の平面上において，前記画像データが均一に分布していると判断された領域を，前記分割手段で分割した同心円の中心と同一の中心の同心円状に再分割し，新たな単位領域毎に前記画像データを計数させる領域再分割手段と，前記分割手段あるいは前記領域再分割手段によって分割された前記単位領域毎に，前記記憶手段に記憶されている再現可能色空間の範囲外に前記画像データが存在するか否かを判定する判定手段と，前記判定手段によって，再現可能色空間の範囲外に前記画像データが存在すると判定された場合に，該当する前記画像データを含む均等色空間の明度一定領域の平面上に存在する前記単位領域を，前記単位領域毎に放射線軸方向の内側の再現可能色空間の範囲内の前記単位領域において前記画像データが分布していない領域または前記画像データが最も少ない領域に向かってずらすことを決定し，前記判定手段によって，再現可能色空間の範囲外に前記画像データが存在しないと判定された場合に，前記単位領域をそのまま残すことを決定する圧縮決定手段と，前記圧縮決定手段で色空間圧縮を行うと決定された前記単位領域に対して，前記放射線軸方向の内側にある別の前記単位領域に写像する写像手段と，を備えたことを特徴とするカラー画像変換装置を提供するものである。
【００１０】
【作用】
本発明のカラー画像変換装置（請求項１）は，均等色空間を所定の複数の単位領域に分割し，分割手段によって分割された単位領域毎に，記憶手段に記憶されている再現可能色空間の範囲外に画像データが存在するか否かを判定し，再現可能色空間の範囲外に画像データが存在すると判定された場合に，該当する画像データを含む均等色空間の明度一定領域の平面上に存在する単位領域を，単位領域毎に放射線軸方向の内側の再現可能色空間の範囲内の単位領域において画像データが分布していない領域または画像データが最も少ない領域に向かってずらすことを決定し，判定手段によって，再現可能色空間の範囲外に画像データが存在しないと判定された場合に，単位領域をそのまま残すことを決定し，色空間圧縮を行うと決定された単位領域に対して，放射線軸方向の内側にある別の単位領域に写像することにより，入力したカラー画像信号の持つ色のバランス・印象を維持して，できるだけ同等の色で出力する。
【００１１】
また，本発明のカラー画像変換装置（請求項２）は，ユーザーがあらかじめ単位領域の圧縮方向を入力し，入力された圧縮方向を記憶し，再現可能色空間の範囲外に画像データが存在すると判定された場合に，該当する画像データを含む均等色空間の明度一定領域の平面上に存在する単位領域を，圧縮方向記憶手段に記憶されている圧縮方向の再現可能色空間の範囲内の単位領域において画像データが分布していない領域または画像データが最も少ない領域に向かってずらすことを決定し，判断手段によって，再現可能色空間の範囲外に画像データが存在しないと判定された場合に，単位領域をそのまま残すことを決定し，色空間圧縮を行うと決定された単位領域に対して，圧縮方向にある別の単位領域に写像することにより，ユーザーが自由に圧縮方向を選択でき，同一の色相で彩度方向に正確な再現可能色空間に圧縮できる。
【００１２】
また，本発明のカラー画像変換装置（請求項３）は，均等色空間の明度一定領域の平面上の放射線軸方向の単位領域間で画像データが均一に分布しているか否かを判定し，分布判定手段によって均一に分布していると判定された場合に，該当する均等色空間の明度一定領域の平面上において，画像データが均一に分布していると判断された領域を，分割手段で分割した同心円の中心と同一の中心の同心円状に再分割し，新たな単位領域毎に画像データを計数させることにより，均等色空間における分布の広い画像のカラー画像信号を入力した場合でも，画像の持つ色のバランス・印象を維持して，同等の色で出力できる。
【００１３】
【実施例】
以下，本発明のカラー画像変換装置について，〔実施例１〕，〔実施例２〕，〔実施例３〕の順で図面を参照して詳細に説明する。
【００１４】
〔実施例１〕
図１は，実施例１のカラー画像変換装置の全体構成図を示し，スキャナや，コンピュータ等の装置からＲ，Ｇ，Ｂ等のカラー画像信号を入力する画像入力部１０１と，画像入力部１０１で入力したカラー画像信号を均等色空間であるＬ＊ａ＊ｂ＊空間内の色に変換する色変換部１０２と，色変換部１０２でＬ＊ａ＊ｂ＊信号に変換された画像データを保持する画像メモリ部１０３と，画像メモリ部１０３から画像データを入力して，所定の単位領域毎にそれぞれに含まれる画像データの生起頻度を求める生起頻度計数部１０４と，入力した画像データのカラーマップを作成するカラーマップ作成部１０５と，実施例１のカラー画像変換装置よりカラー画像データを入力して画像形成を行うカラー画像形成装置（図示せず）の均等色空間における再現可能色空間の範囲を記憶した再現可能色空間記憶部１０６と，前記単位領域毎に再現可能色空間記憶部１０６に記憶されている再現可能色空間の範囲と比較し，再現可能色空間の範囲外に画像データが存在するか否かを判定する比較器１０７と，比較器１０７によって，再現可能色空間の範囲外に画像データが存在すると判定された場合に，該当する単位領域を含む均等色空間の明度一定領域の平面上に存在する単位領域を，各単位領域の生起頻度に基づいて，各単位領域毎に色空間圧縮の有無および圧縮方向を決定する領域変換決定部１０８と，領域変換決定部１０８で色空間圧縮を行うと決定された単位領域に対して，圧縮方向にある別の領域に写像する写像・色変換部１０９と，画像データ（Ｌ＊ａ＊ｂ＊信号）をカラー画像形成装置の出力信号（ＣＭＹ信号）に変換するＬ＊ａ＊ｂ＊→ＣＭＹ変換部１１０と，Ｌ＊ａ＊ｂ＊→ＣＭＹ変換部１１０から画像データ（ＣＭＹ信号）を入力してカラー画像形成装置へ出力する画像出力部１１１とから構成される。
【００１５】
なお，本実施例では，生起頻度計数部１０４が，均等色空間を所定の複数の単位領域に分割する分割手段を兼ねるものとする。
【００１６】
以上の構成において，その動作を説明する。画像入力部１０１を介して入力したカラー画像信号は，色変換部１０２において，均等色空間であるＬ＊ａ＊ｂ＊空間内の色に変換され，画像メモリ部１０３に書き込まれる。
【００１７】
生起頻度計数部１０４は，図２に示すように，均等色空間を複数の単位領域に分割して，画像メモリ部１０３に記憶されているＬ＊ａ＊ｂ＊信号が均等色空間のどの単位領域に属するからを検出し，各単位領域毎に画像数（生起頻度）をカウントする。
【００１８】
次に，カラーマップ作成部１０５において，入力した画像データ（ここでは，Ｌ＊ａ＊ｂ＊信号）のカラーマップが作成され，比較器１０７において，再現可能色空間記憶部１０６に記憶されている再現可能色空間の範囲と，前記単位領域毎に比較されて，カラー画像形成装置の再現可能色空間の範囲外の領域に入力した画像データが存在するか否かが判定される。
【００１９】
ある単位領域において，再現可能色空間の範囲外の領域に画像データが存在した場合，領域変換決定部１０８によって，図３に示すように，明度一定領域の平面上で見て，放射線軸方向（色相方向）の領域で，画像データが分布していない，あるいは，少ない領域を見つけて，その状態により，前記放射線軸方向に領域を内側に向かってずらす単位領域と，そのまま残す単位領域とを決定する。
【００２０】
このとき，画像データの分布状況は，生起頻度計数部１０４で求めた生起頻度に基づいて判断される。なお，再現可能色空間の範囲外の領域に画像データが存在しない単位領域は，そのまま残す単位領域と決定する。
【００２１】
領域変換決定部１０８で，前記放射線軸方向に領域を内側に向かってずらす単位領域あると決定された領域内にある画像データは，写像・色変換部１０９によって，領域間の写像により色変換され，続いて，Ｌ＊ａ＊ｂ＊→ＣＭＹ変換部１１０へ送られる。
【００２２】
一方，領域変換決定部１０８で，そのまま残す単位領域であると決定された領域の画像データ（Ｌ＊ａ＊ｂ＊信号）は，そのままＬ＊ａ＊ｂ＊→ＣＭＹ変換部１１０へ送られる。
【００２３】
Ｌ＊ａ＊ｂ＊→ＣＭＹ変換部１１０では，メモリマップを利用して，Ｌ＊ａ＊ｂ＊信号をカラー画像形成装置の出力制御信号であるＣＭＹ信号に変換する。Ｌ＊ａ＊ｂ＊→ＣＭＹ変換部１１０でＣＭＹ信号に変換された画像データは，画像出力部１１１を介してカラー画像形成装置へ出力され，画像が形成される。
【００２４】
前述したように実施例１では，入力したカラー画像信号の色空間を，画像形成手段であるカラー画像形成装置の再現可能色空間に圧縮しながらも，入力したカラー画像信号の持つ色のバランス・印象をできるだけ維持して，かつ，できるだけ同等の色で出力することができる。
【００２５】
〔実施例２〕
図４は，実施例２のカラー画像変換装置の全体構成図を示し，図１に示した実施例１の構成に，ユーザーがあらかじめ単位領域の圧縮方向を入力するための圧縮方向入力部４０１と，圧縮方向入力部４０１で入力された圧縮方向を記憶する圧縮方向記憶部４０２とを加えてものである。なお，実施例１と共通の符号は同一の構成を示すため説明を省略する。
【００２６】
実施例１では，Ｌ＊ａ＊ｂ＊空間において，図３に示したように，明度一定領域の平面上で見て，放射線軸方向を同じ色相と見なして圧縮を行った。ところが，実際は，図５に示すように，マンセル表色系の等ヒューは，均等色空間においても，放射線状に伸びている分けではない。そこで，実施例２では，圧縮方向入力部４０１で，ユーザーが，たておば，Ａ→Ｂ→Ｃ→Ｄや，Ｅ→Ｆ→Ｇ→Ｈ等のように実際の等ヒュー方向あるいは，ユーザーが望む圧縮の方向を入力すると，圧縮方向記憶部４０２に領域の圧縮方向が記憶され，領域変換決定部１０８において，図６に示す明度一定領域の平面上で見て，設定された方向の領域で，画像データが分布していない，あるいは，少ない領域を見つけて，その状態により，前記設定方向（圧縮方向記憶部４０２に記憶されている圧縮方向）に領域を内側に向かってずれす領域とそのまま残す領域とを決定する。
【００２７】
領域変換決定部１０８で，前記放射線軸方向に領域を内側に向かってずらす単位領域あると決定された領域内にある画像データは，写像・色変換部１０９によって，領域間の写像により色変換され，続いて，Ｌ＊ａ＊ｂ＊→ＣＭＹ変換部１１０へ送られる。
【００２８】
一方，領域変換決定部１０８で，そのまま残す単位領域であると決定された領域の画像データ（Ｌ＊ａ＊ｂ＊信号）は，そのままＬ＊ａ＊ｂ＊→ＣＭＹ変換部１１０へ送られる。
【００２９】
Ｌ＊ａ＊ｂ＊→ＣＭＹ変換部１１０では，メモリマップを利用して，Ｌ＊ａ＊ｂ＊信号をカラー画像形成装置の出力制御信号であるＣＭＹ信号に変換する。Ｌ＊ａ＊ｂ＊→ＣＭＹ変換部１１０でＣＭＹ信号に変換された画像データは，画像出力部１１１を介してカラー画像形成装置へ出力され，画像が形成される。
【００３０】
前述したように実施例２では，入力したカラー画像信号の色空間を，画像形成手段であるカラー画像形成装置の再現可能色空間に圧縮しながらも，入力したカラー画像信号の持つ色のバランス・印象をできるだけ維持して，かつ，できるだけ同等の色で出力することができる。また，同一の色相で，彩度方向に正確な再現可能色空間に圧縮が可能となる。
【００３１】
〔実施例３〕
図７は，実施例３のカラー画像変換装置の全体構成図を示し，図１に示した実施例１の構成に，生起頻度計数部１０４で求めた生起頻度に基づいて，均等色空間の明度一定領域の平面上に均等色空間の信号が均一に分布しているか否かを判定する判定部７０１と，判定部７０１によって均一に分布していると判定された場合に，該当する均等色空間の明度一定領域の平面上において，単位領域を同心円状に再分割し，分割した領域を新たな単位領域として再度生起頻度計数部１０４で生起頻度を求めさせる領域再分割部７０２とを加えたものである。なお，実施例１と共通の符号は同一の構成を示すため説明を省略する。
【００３２】
カラーマップ作成部１０５で作成された入力画像のカラーマップを，判定部７０１において，明度一定領域の平面上で見て，圧縮軸方向の領域で画像データが均一に分布しているかどうか判定し，圧縮軸方向の領域で画像データが均一に分布している場合，その方向についてのみ領域再分割部７０２で，前記明度一定領域の平面上において，同心円状に再分割し，生起頻度計数部１０４における生起頻度の計数を，再分割した単位領域毎に再度実行させる。
【００３３】
生起頻度計数部１０４によって単位領域毎に画素数がカウントされると，カラーマップ作成部１０５で再度入力画像のカラーマップが作成される。この判定部７０１，領域再分割部７０２による処理は，分布に差が現れるまで実行され，処理が終わると，比較器１０７以降の処理が実施例１と同様に実施される。
【００３４】
前述したように実施例３では，入力したカラー画像信号の色空間を，画像形成手段であるカラー画像形成装置の再現可能色空間に圧縮しながらも，入力したカラー画像信号の持つ色のバランス・印象をできるだけ維持して，かつ，できるだけ同等の色で出力することができる。
【００３５】
また，カラーマップ上で分布に差が現れるまで，判定部７０１および領域再分割部７０２で領域を細分化するため，自然画像のように分布の広い画像に対しても，カラー画像形成装置でできるかぎり同様の色で出力できる。
【００３６】
【発明の効果】
以上説明したように，本発明のカラー画像変換装置（請求項１）は，均等色空間における前記カラー画像形成装置の再現可能色空間の範囲を記憶した記憶手段と，前記カラー画像信号をＬ＊ａ＊ｂ＊信号である画像データに変換する変換手段と，均等色空間を所定の複数の単位領域に分割する分割手段と，前記分割手段によって分割された前記単位領域毎に，前記記憶手段に記憶されている再現可能色空間の範囲外に前記画像データが存在するか否かを判定する判定手段と，前記判定手段によって，再現可能色空間の範囲外に前記画像データが存在すると判定された場合に，該当する前記画像データを含む均等色空間の明度一定領域の平面上に存在する前記単位領域を，前記単位領域毎に放射線軸方向の内側の再現可能色空間の範囲内の前記単位領域において前記画像データが分布していない領域または前記画像データが最も少ない領域に向かってずらすことを決定し，前記判定手段によって，再現可能色空間の範囲外に前記画像データが存在しないと判定された場合に，前記単位領域をそのまま残すことを決定する圧縮決定手段と，前記圧縮決定手段で色空間圧縮を行うと決定された前記単位領域に対して，前記放射線軸方向の内側にある別の前記単位領域に写像する写像手段と，を備えたため，入力したカラー画像信号の持つ色のバランス・印象をできるだけ維持して，かつ，できるだけ同等の色が出力できるように，入力したカラー画像信号をカラー画像形成装置の再現可能色空間内に圧縮することができる。
【００３７】
また，本発明のカラー画像変換装置（請求項２）は，均等色空間における前記カラー画像形成装置の再現可能色空間の範囲を記憶した記憶手段と，前記カラー画像信号をＬ＊ａ＊ｂ＊信号である画像データに変換する変換手段と，均等色空間を所定の複数の単位領域に分割する分割手段と，前記分割手段によって分割された前記単位領域毎に，前記記憶手段に記憶されている再現可能色空間の範囲外に前記画像データが存在するか否かを判定する判定手段と，ユーザーがあらかじめ前記単位領域の圧縮方向を入力するための圧縮方向入力手段と，前記圧縮方向入力手段で入力された前記圧縮方向を記憶する圧縮方向記憶手段と，前記判定手段によって，再現可能色空間の範囲外に画像データが存在すると判定された場合に，該当する画像データを含む均等色空間の明度一定領域の平面上に存在する前記単位領域を，前記圧縮方向記憶手段に記憶されている前記圧縮方向の再現可能色空間の範囲内の前記単位領域において前記画像データが分布していない領域または前記画像データが最も少ない領域に向かってずらすことを決定し，前記判断手段によって，再現可能色空間の範囲外に前記画像データが存在しないと判定された場合に，前記単位領域をそのまま残すことを決定する圧縮決定手段と，前記圧縮決定手段で色空間圧縮を行うと決定された前記単位領域に対して，前記圧縮方向にある別の前記単位領域に写像する写像手段と，を備えたため，ユーザーが自由に圧縮方向を選択でき、入力したカラー画像信号の持つ色のバランス・印象をできるだけ維持して，かつ，できるだけ同等の色が出力できるように，入力したカラー画像信号をカラー画像形成装置の再現可能色空間内に圧縮することができる。
【００３８】
また，本発明のカラー画像変換装置（請求項３）は，均等色空間における前記カラー画像形成装置の再現可能色空間の範囲を記憶した記憶手段と，前記カラー画像信号をＬ＊ａ＊ｂ＊信号である画像データに変換する変換手段と，均等色空間を所定の複数の単位領域に分割する分割手段と，均等色空間の明度一定領域の平面上の放射線軸方向の前記単位領域間で前記画像データが均一に分布しているか否かを判定する分布判定手段と，前記分布判定手段によって均一に分布していると判定された場合に，該当する均等色空間の明度一定領域の平面上において，前記画像データが均一に分布していると判断された領域を，前記分割手段で分割した同心円の中心と同一の中心の同心円状に再分割し，新たな単位領域毎に前記画像データを計数させる領域再分割手段と，前記分割手段あるいは前記領域再分割手段によって分割された前記単位領域毎に，前記記憶手段に記憶されている再現可能色空間の範囲外に前記画像データが存在するか否かを判定する判定手段と，前記判定手段によって，再現可能色空間の範囲外に前記画像データが存在すると判定された場合に，該当する前記画像データを含む均等色空間の明度一定領域の平面上に存在する前記単位領域を，前記単位領域毎に放射線軸方向の内側の再現可能色空間の範囲内の前記単位領域において前記画像データが分布していない領域または前記画像データが最も少ない領域に向かってずらすことを決定し，前記判定手段によって，再現可能色空間の範囲外に前記画像データが存在しないと判定された場合に，前記単位領域をそのまま残すことを決定する圧縮決定手段と，前記圧縮決定手段で色空間圧縮を行うと決定された前記単位領域に対して，前記放射線軸方向の内側にある別の前記単位領域に写像する写像手段と，備えたため，入力したカラー画像信号の持つ色のバランス・印象をできるだけ維持して，かつ，できるだけ同等の色が出力できるように，入力したカラー画像信号をカラー画像形成装置の再現可能色空間内に圧縮することができる。
【図面の簡単な説明】
【図１】実施例１のカラー画像変換装置の全体構成図である。
【図２】均等色空間の分割および分割した単位領域を示す説明図である。
【図３】色の圧縮する方向を示す説明図である。
【図４】実施例２のカラー画像変換装置の全体構成図である。
【図５】マンセル表色系の等ヒューについて示す説明図である。
【図６】色の圧縮する方向を示す説明図である。
【図７】実施例３のカラー画像変換装置の全体構成図である。
【符号の説明】
１０１    画像入力部
１０２    色変換部
１０３    画像メモリ部
１０４    生起頻度計数部
１０５    カラーマップ作成部
１０６    再現可能色空間記憶部
１０７    比較器
１０８    領域変換決定部
１０９    写像・色変換部
１１０    Ｌ＊ａ＊ｂ＊→ＣＭＹ変換部
１１１    画像出力部
４０１    圧縮方向入力部
４０２    圧縮方向記憶部
７０１    判定部
７０２    領域再分割部
【図１】
0003679139.tif 000002
【図２】
0003679139.tif 000003
【図３】
0003679139.tif 000004
【図４】
0003679139.tif 000005
【図５】
0003679139.tif 000006
【図６】
0003679139.tif 000007
【図７】
0003679139.tif 000008